(57)【要約】【課題】パチンコ遊技機の演出画像を、当該遊技機の遊技者以外も好適に見ることができるようにする。【解決手段】演出画像を表示する画像表示器と、演出画像に係るビデオ信号を画像表示器に向けて出力し、該ビデオ信号に係る画像を前記画像表示器に表示させる画像表示制御手段と、該画像表示制御手段から前記画像表示器に出力されるビデオ信号と同じ内容のビデオ信号を機外に出力する演出画像外部出力手段とをパチンコ遊技機１に配設する。また、パチンコ遊技機１から出力されるビデオ信号を受信し、該ビデオ信号を遊技場内のＬＡＮ６１に出力するビデオ信号中継器６８と、前記ＬＡＮ６１を介して前記ビデオ信号を受信して、当該ビデオ信号に係る画像をモニタ７４に表示する演出画像外部表示装置６６ａ，６６ｂとを遊技場設備６０に配設する。【選択図】図６
2012143501.tif 000002
【特許請求の範囲】
【請求項１】
演出画像を表示する画像表示器と、
前記画像表示器に向けてビデオ信号を出力し、該ビデオ信号に係る画像を前記画像表示器に表示させる画像表示制御手段と、
該画像表示制御手段から前記画像表示器に出力されるビデオ信号と同じ内容のビデオ信号を機外に出力する演出画像外部出力手段と
を備えることを特徴とするパチンコ遊技機。
【請求項２】
前記演出画像外部出力手段は、
ビデオ信号を機外に出力するためのビデオ信号外部出力端子と、
前記画像表示制御手段から前記画像表示器に出力されるビデオ信号を、前記ビデオ信号外部出力端子に分配する分配手段と
を備えていることを特徴とする請求項１に記載のパチンコ遊技機。
【請求項３】
前記演出画像外部出力手段は、前記ビデオ信号外部出力端子から出力するビデオ信号の方式を変換する変換手段を備えることを特徴とする請求項２に記載のパチンコ遊技機。
【請求項４】
請求項１乃至請求項３のいずれか１項に記載のパチンコ遊技機と、
遊技場に設置されるパケット通信網と、
前記パチンコ遊技機及び前記パケット通信網と接続されて、前記パチンコ遊技機から受信したビデオ信号をパケット化して前記パケット通信網に出力するビデオ信号中継器と、
前記パケット通信網を介して前記ビデオ信号中継器と通信可能に接続されて、前記パチンコ遊技機が出力するビデオ信号を、前記パケット通信網を介して前記ビデオ信号中継器から受信して、当該ビデオ信号に係る画像をモニタに表示する演出画像外部表示装置と
を備えることを特徴とする遊技場設備。
【発明の詳細な説明】
【技術分野】
【０００１】
本発明は、画像表示器に演出を目的とする演出画像を表示するパチンコ遊技機に関する。
【背景技術】
【０００２】
パチンコ遊技機では、遊技の進行に合わせて多様な演出が行われる。例えば、特別図柄の変動時にはリーチ演出や予告演出などが実行され、大当り遊技では大当り演出が実行される。一般的に、こうした演出は、画像表示器に表示される演出画像を主体とする。そして、演出画像の表示に合わせて、スピーカが演出音声を発し、演出用ランプが点灯する。また、時には演出用役物が駆動する。かかる演出は、パチンコ遊技機の高機能化に伴って重要性が大きくなっており、特に、画像表示器に表示される演出画像については、パチンコ遊技機の面白さを左右する重要な要素となっている。
【０００３】
画像表示器で表示される演出画像は、パチンコ遊技機に配設された単一又は複数の電子基板によって制御される。すなわち、遊技の進行に合わせて電子基板が演出画像に係るビデオ信号を画像表示器に向けて出力することで、画像表示器に適切な演出画像が表示されるよう構成されている（例えば、特許文献１）。
【先行技術文献】
【特許文献】
【０００４】
【特許文献１】特開２０１０−２７９７１８号公報
【発明の概要】
【発明が解決しようとする課題】
【０００５】
ところで、従来のパチンコ遊技機では、画像表示器に表示される演出画像は、当該遊技機を遊技している遊技者に見せるためだけのものであり、当該遊技機の遊技者以外の用に供するようには製造されていない。
【０００６】
本発明は、かかる現状に鑑みてなされたものであり、パチンコ遊技機の演出画像を遊技者以外が好適に見ることができるパチンコ遊技機及び遊技場設備の提供を目的とする。
【課題を解決するための手段】
【０００７】
本発明は、演出画像を表示する画像表示器と、前記画像表示器に向けてビデオ信号を出力し、該ビデオ信号に係る画像を前記画像表示器に表示させる画像表示制御手段と、該画像表示制御手段から前記画像表示器に出力されるビデオ信号と同じ内容のビデオ信号を機外に出力する演出画像外部出力手段とを備えることを特徴とするパチンコ遊技機である。ここで、本発明に係る「演出画像」とは、遊技に伴って演出目的で表示される画像であり、特別図柄の変動中に表示されるリーチ演出画像や、大当り遊技中に表示される大当り演出画像などがこれに含まれる。
【０００８】
かかる構成によれば、パチンコ遊技機の画像表示器に表示される演出画像を、遊技場の別の場所に設置した表示器に表示可能となり、これにより、当該遊技機の遊技者以外にも画像表示器に表示される演出画像を見せることが可能となる。
【０００９】
本発明にあって、前記演出画像外部出力手段は、ビデオ信号を機外に出力するためのビデオ信号外部出力端子と、前記画像表示制御手段から前記画像表示器に出力されるビデオ信号を、前記ビデオ信号外部出力端子に分配する分配手段とを備えている構成が提案される。
【００１０】
かかる構成によれば、比較的簡単な構成によって、画像表示器に表示される画像に係るビデオ信号を機外に出力可能となる。また、かかる構成では、画像表示器に出力されるビデオ信号と、機外に出力するビデオ信号を同期させ易いため、画像表示器と機外の表示器とで同じ演出画像を略同時に表示可能となる。
【００１１】
また、本発明にあって、前記演出画像外部出力手段は、前記ビデオ信号外部出力端子から出力するビデオ信号の方式を変換する変換手段を備える構成が提案される。
【００１２】
かかる構成によれば、外部出力に適した方式で、画像表示器に表示される画像を外部に出力できる。一般的に、パチンコ遊技機内で画像表示器に伝送されるビデオ信号は、長距離伝送に不向きであったり、外部機器の入力方式と不適格であったりする場合が多いが、かかる構成では、外部出力用のビデオ信号の方式を変換することで、外部機器に適切にビデオ信号を出力可能となる。具体的には、ビデオ信号を、長距離伝送に適した方式に変更したり、汎用性の高い方式に変更したり、データ量を圧縮したり、パケット化したりして出力することが挙げられる。
【００１３】
また、本発明の別の態様は、上記パチンコ遊技機と、遊技場に設置されるパケット通信網と、前記パチンコ遊技機及び前記パケット通信網と接続されて、前記パチンコ遊技機から受信したビデオ信号をパケット化して前記パケット通信網に出力するビデオ信号中継器と、前記パケット通信網を介して前記ビデオ信号中継器と通信可能に接続されて、前記パチンコ遊技機が出力するビデオ信号を、前記パケット通信網を介して前記ビデオ信号中継器から受信して、当該ビデオ信号に係る画像をモニタに表示する演出画像外部表示装置とを備えることを特徴とする遊技場設備である。かかる構成によれば、遊技場に設置されたパチンコ遊技機の演出画像を、遊技場のいろいろな場所で、略リアルタイムで表示可能となる。特に、かかる構成にあっては、パケット通信網を用いているため、多数の遊技機から出力されるビデオ信号を、適切に伝達することが可能となる。すなわち、既存の遊技場設備は、遊技機のイベント発生情報をホールサーバーに送信したりするためのパケット通信網を具備しているため、既存のネットワークを利用して、ビデオ信号を演出画像外部表示装置に伝達可能となる。
【発明の効果】
【００１４】
以上に述べたように、本発明にあっては、遊技場の様々な場所で、遊技場に設置されたパチンコ遊技機の演出画像を、遊技場の別の場所で表示可能となる。かかる構成によれば、従来、当該遊技機を遊技している遊技者に見せるのみであった演出画像を、より多くの人の用に供することができ、パチンコ遊技機を有効活用することができる。
【図面の簡単な説明】
【００１５】
【図１】パチンコ遊技機１の斜視図である。
【図２】遊技盤１０の正面図である。
【図３】パチンコ遊技機１の背面図である。
【図４】パチンコ遊技機１の演出表示に係る制御回路を示すブロック図である。
【図５】画像分配中継基板３５の回路構成を示すブロック図である。
【図６】遊技場設備６０の概略図である。
【発明を実施するための形態】
【００１６】
以下に、実施例のパチンコ遊技機について説明する。
【００１７】
パチンコ遊技機１は、図１に示すように、遊技島に固定される外枠２と、この外枠２の前面開口部を覆う遊技機本体３とからなる。遊技機本体３は、中央上部の略円形の開口部に遊技盤１０が取り付けられた前枠５を備え、この前枠５の一側縁がヒンジ部材４，４を介して外枠２に開閉可能に枢着されている。また、前枠５の下部には、上受皿７と下受皿８とが上下に列設されており、下受皿８の右側方に発射ハンドル９が突設される。
【００１８】
図２に示すように、遊技盤１０の前面には、遊技球を転動流下させる略円形の遊技領域１２が区画形成されている。そして、遊技領域１２の中央から右側部分には、画像表示器１４が組み付けられた樹脂製のセンターケース１３が配設される。画像表示器１４は、表示画面１５を遊技機正面に向けて配設される。この画像表示器１４は、本発明に係る演出画像を表示するものであり、ＣＲＴや液晶表示器、有機ＥＬなどによって構成される。また、センターケース１３には、画像表示器１４以外に、演出時に発光する演出用ＬＥＤ（発光ダイオード）１６や、入賞装置１７ａ、演出時に回転駆動される演出用役物１８、特別図柄表示装置１９などが組み付けられる。また、遊技領域１２には、センターケース１３の周囲に、入賞装置１７ｂ，１７ｃ，１７ｄやゲート装置２１、遊技釘２０などの各種の遊技部材が設けられる。
【００１９】
また、パチンコ遊技機１の背面側には、図３に示すように、電子基板を収納した基板ケース２２が複数配設される。基板ケース２２に収納された各電子基板は、コネクタが設けられた端子２３のみ外部に露出させており、各端子２３に接続されたワイヤーハーネス（図示省略）によって各電子基板が相互接続されている。そして、パチンコ遊技機１の背面側右下部には、外部出力用の端子２３を複数備える外部端子基板３９が配設される。この外部端子基板３９の各端子２３からは、大当り発生やエラー発生などのイベント発生情報などが出力される。また、この外部端子基板３９は、本発明に係るビデオ信号外部出力端子２３ａを具備している。このビデオ信号外部出力端子２３ａからは、画像表示器１４の演出画像に係るビデオ信号が機外に出力される。
【００２０】
かかるパチンコ遊技機１は、既存一般のパチンコ遊技機と同様の遊技内容を有している。すなわち、入賞装置１７ｂに設けられた始動口に遊技球が入賞すると、特別図柄表示装置１９が点滅して特別図柄が変動表示され、一定時間経過後に変動表示が停止する。そして、変動停止した時の特別図柄の停止態様が所定の大当り態様であった場合には、大入賞口を備える入賞装置１７ｃが所定時間開閉作動する大当り遊技が実行されることとなる。
【００２１】
そして、上記画像表示器１４の表示画面１５には、遊技の進行に合わせて図柄やキャラクターなどの演出画像が表示される。例えば、特別図柄が変動表示されている間は、表示画面１５で演出図柄が変動表示され、時折リーチ演出画像や予告演出画像などが表示されることによって、遊技者の大当りへの期待感を盛り上げる。また、大当り遊技中には大当り用の演出画像が表示画面１５に表示され、大当り遊技を盛り上げる。また、演出画像の表示と並行して、スピーカ（図示省略）から演出用音声が発せられるとともに、演出用ＬＥＤ１６が発光・点滅し、さらには、演出用役物１８が適宜タイミングで駆動することで、画像、光、音声などを組み合わせた盛大な演出が行われる。
【００２２】
以下に、図４を参照して、上記パチンコ遊技機１の演出を制御する制御回路について説明する。
【００２３】
パチンコ遊技機１の演出制御は、主制御基板３０（主基板）、演出制御基板３１、画像音声制御基板３２、及び演出用役物駆動基板３３の四つの電子基板によって行われる。
【００２４】
主制御基板３０は、遊技の統括的な制御を実行するものであり、特別図柄の変動や、大当りの発生等を制御するための基板回路を具備している。主制御基板３０は、演出制御基板３１と接続されており、遊技状態に応じて所要の演出制御コマンドを演出制御基板３１に送信し、遊技状態に即した演出を実行させる。
【００２５】
演出制御基板３１は、遊技に合わせて行われる演出を統括的に制御するものである。具体的には、演出制御基板３１は、多数の演出パターンを実行するためのプログラムと、実行する演出パターンを決定するためのプログラムを記憶している。演出制御基板３１は、主制御基板３０から演出制御信号を受信すると、実行する演出パターンをプログラムに従って決定する。そして、ＬＥＤ中継基板３４を介して演出用ＬＥＤ１６を発光させるとともに、画像音声制御基板３２及び演出用役物駆動基板３３に制御信号を送信することで、画像表示器１４やスピーカ３７、演出用役物１８を演出パターンどおりに協調的に作動させる。
【００２６】
画像音声制御基板３２は、画像表示器１４に向けてビデオ信号を出力するとともに、
スピーカ３７に向けてオーディオ信号を出力することで、画像表示器１４の表示内容や、スピーカ３７の音声を制御するものである。具体的には、画像音声制御基板３２は、画像表示器１４用の画像データやスピーカ３７用の音声データを記憶するとともに、画像表示器１４及びスピーカ３７を制御するための制御プログラムを記憶している。そして、画像音声制御基板３２は、演出制御基板３１から特定の演出パターンの実行を指示する制御信号を受信すると、所要の画像データをＲＡＭに展開し、後述する画像分配中継基板３５を介して画像表示器１４にビデオ信号を送信し、該ビデオ信号の内容を画像表示器１４に表示させる。また、これと並行して音声データをＲＡＭに展開し、音声中継基板３６を介してスピーカ３７にオーディオ信号を送信する。
【００２７】
また、演出用役物駆動基板３３は、演出用役物１８の駆動制御を行うものである。具体的には、演出用役物駆動基板３３は、演出用役物１８を駆動させるためのプログラムを記憶しており、演出制御基板３１から制御信号を受信すると、該制御信号の内容に応じた駆動パターンで演出用役物１８を回転駆動する。
【００２８】
また、主制御基板３０、演出制御基板３１、画像音声制御基板３２、及び演出用役物駆動基板３３には、電源基板３８から電力が供給される。また、画像表示器１４へは、画像音声制御基板３２から画像分配中継基板３５を介して電力が供給される。
【００２９】
また、上述のように、パチンコ遊技機１は、外部出力用の端子２３，２３ａ（図３参照）を具備する外部端子基板３９を備えている。この外部端子基板３９は、主制御基板３０と接続されており、主制御基板３０が出力する大当りや入賞発生、特別図柄の変動回数などの遊技情報が、外部端子基板３９を経由して機外に出力可能となっている。また、後述する画像分配中継基板３５が分配する演出画像に係るビデオ信号は、外部端子基板３９のビデオ信号外部出力端子２３ａ（図３参照）を経由して出力可能に構成されている。
【００３０】
上記画像分配中継基板３５は、画像音声制御基板３２から画像表示器１４に出力されるビデオ信号及び電力を中継するとともに、該ビデオ信号を外部端子基板３９へ分配する。詳述すると、画像分配中継基板３５は、図５に示すように、画像音声制御基板３２からビデオ信号が入力される信号入力端子４２と、画像音声制御基板３２から電力が入力される電源入力端子４３と、画像表示器１４にビデオ信号を出力する第一信号出力端子４４と、画像表示器１４に電力を出力する電源出力端子４５と、外部端子基板３９にビデオ信号を出力する第二信号出力端子４６とを備えている。
【００３１】
また、画像分配中継基板３５は、図５に示すように、ビデオ信号を二つに分配する分岐回路４７を備えている。画像音声制御基板３２から信号入力端子４２に入力されるＬＶＤＳ方式のビデオ信号は、この分岐回路４７で二つに分配される。
【００３２】
また、画像分配中継基板３５は、ＬＶＤＳ方式のビデオ信号をＤＶＩ方式に変換する変換回路４８を備えている。前記分岐回路４７で分配されたビデオ信号の一方は、ＬＶＤＳ方式のまま第一信号出力端子４４から画像表示器１４へ出力され、他方は、この変換回路４８でＤＶＩ方式に変換されて、第二信号出力端子４６から外部端子基板３９へ出力される。この変換回路４８の回路構成は、既知の構成を好適に用いることができる。
【００３３】
また、画像分配中継基板３５には、電源入力端子４３に入力される電力を分岐回路４７及び変換回路４８に供給するとともに、電源出力端子４５から出力する電源回路４９を備えている。
【００３４】
このように、かかるパチンコ遊技機１では、画像音声制御基板３２から画像表示器１４に送信される演出画像に係るビデオ信号は、画像分配中継基板３５で分配され、外部端子基板３９のビデオ信号外部出力端子２３ａから機外に出力される。このため、かかるビデオ信号外部出力端子２３ａに適当な外部機器を接続すれば、当該遊技機の画像表示器１４に表示される演出画像を、当該遊技機以外の場所で表示し、当該遊技機の遊技者以外の用に供することが可能となる。
【００３５】
特に、本実施例にあっては、画像音声制御基板３２から画像表示器１４に出力されるビデオ信号を分配して機外に出力しているため、比較的簡単な回路構成によって画像表示器１４の表示画像に係るビデオ信号を機外に出力できる。また、機外に出力されるビデオ信号と、画像表示器に出力されるビデオ信号との時間のずれが小さくなるから、画像表示器１４と外部機器で、同じ画像を略同時に表示させることが可能となる。
【００３６】
また、本実施例のパチンコ遊技機１は、ビデオ信号をＬＶＤＳ方式からＤＶＩ方式に変換する変換回路４８を備え、画像表示器１４へのビデオ信号を単に分配して出力するだけでなく、外部出力用のビデオ信号をＤＶＩ方式に変換して出力するようにしている。ＬＶＤＳ方式の信号は、比較的伝送距離が短く、当該方式の入力端子を備えた外部機器は希少であり、機外への出力には適していないが、本実施例では、長距離伝送に適し、汎用性の高いＤＶＩ方式に信号を変換して出力するため、信号方式による不具合は発生せず、ビデオ信号を好適に機外に出力できる。
【００３７】
次に、上記パチンコ遊技機１を具備する遊技場設備６０の一実施例について、図６を参照して説明する。
【００３８】
実施例の遊技場設備６０は、複数の遊技島６２を備えている。各遊技島６２にはパチンコ遊技機１が複数固着される。各パチンコ遊技機１の直上位置にはそれぞれデータ表示ユニット６４が配設され、また、各パチンコ遊技機１にはカードユニット６５が隣設される。
【００３９】
また、遊技場設備６０は、パチンコ遊技機１等を管理するための遊技場管理システム６７を備えている。遊技場管理システム６７は、パチンコ遊技機１ごとに配設される台管理装置６８と、遊技島６２ごとに配設される島管理装置６９と、遊技場の管理事務所等に設けられる中央管理装置７０とを備えている。また、遊技場設備６０は、遊技場内に設置されたＬＡＮ（ローカルエリアネットワーク）６１を備えている。このＬＡＮ６１は、本発明に係るパケット通信網を構成するものである。前記管理装置６８，６９，７０は、このＬＡＮ６１に接続されて相互に通信可能となっている。
【００４０】
データ表示ユニット６４は、遊技島６２にあって各パチンコ遊技機１の直上位置に設けられる。このデータ表示ユニット６４は、直下のパチンコ遊技機１の外部端子基板３９と接続されて、パチンコ遊技機１が出力するイベント発生情報やビデオ信号などを受信し、台管理装置６８へ中継する。また、データ表示ユニット６４は、図柄変動や大当り発生などのイベント発生情報については、発生回数を計数して遊技者に表示する
【００４１】
台管理装置６８は、遊技場内のパチンコ遊技機１毎に一台ずつ配設される。台管理装置６８は、対応するパチンコ遊技機１とデータ表示ユニット６４を介して接続され、また、該パチンコ遊技機１のカードユニット６５と直接接続される。台管理装置６８は、パチンコ遊技機１が出力するイベント発生情報や、カードユニット６５が出力する売上げ情報などを蓄積し、所定時間（例えば１分間）毎に島管理装置６９へ送信する。また、台管理装置６８は、ＬＡＮ６１に接続された機器から様々なコマンドを受信可能となっている。そして、台管理装置６８は、演出画像送信要求コマンドを受信した場合には、パチンコ遊技機１から受信するビデオ信号をパケット化し、当該コマンドを送信した機器にＬＡＮ６１経由で送信するよう構成されている。
【００４２】
島管理装置６９は遊技島６２毎に一台ずつ設けられる。この島管理装置６９は、複数の台管理装置６８と接続されており、遊技島６２に設置された台管理装置６８などの管理を行うとともに、これらの装置と遊技島外の装置との通信を中継する。島管理装置６９は、パチンコ遊技機用の遊技島に限らず、スロットマシン用の遊技島にも設置可能なものである。
【００４３】
中央管理装置７０は、ＬＡＮ６１を介して各島管理装置６９などと通信可能に接続されたホールサーバー７１と、ホールサーバー７１に接続されたホールコンピュータ７２とで構成されている。ここで、ホールサーバー７１は、複数の島管理装置６９から出力される各種情報を受信して遊技島６２毎及びパチンコ遊技機１毎にデータを記憶する。ホールコンピュータ７２は、遊技場設備６０の各種装置を統括的に管理するものであり、遊技場内を撮影する監視カメラを備える監視システムや、停電時に備えられた無停電電源装置等とも接続されている。遊技場の店員は、ホールコンピュータ７２を用いてホールサーバー７１に蓄積されたデータを読み出すことができ、当該データをホールコンピュータ７２のモニタに種々の態様で表示したり、プリントアウトしたりできる。
【００４４】
以下に、実施例の遊技場設備６０において、パチンコ遊技機１の画像表示器１４の表示画像を機外で表示する構成について説明する。
遊技場設備６０は、パチンコ遊技機１の演出画像を機外で表示するための演出画像外部表示装置６６ａ，６６ｂを備えている。この演出画像外部表示装置６６ａ，６６ｂは、表示制御装置７３ａ，７３ｂとモニタ７４とで構成される。表示制御装置７３ａ，７３ｂは、ＬＡＮを介してパケット通信するための通信装置を備えており、遊技場内のＬＡＮ６１に接続される。この表示制御装置７３ａ，７３ｂは、必要に応じて台管理装置６８に対して演出画像送信要求コマンドを送信する。
【００４５】
上記台管理装置６８は、ビデオ信号を圧縮する符号化装置と、圧縮したビデオ信号をパケット化してＬＡＮ６１に送信する送信装置とを備えており、パチンコ遊技機１から受信するビデオ信号を、少ない遅延時間でＬＡＮ６１に接続された演出画像外部表示装置６６ａ，６６ｂに送信可能に構成されている。台管理装置６８は、通常は、パチンコ遊技機１からビデオ信号を受信するのみでＬＡＮ６１にビデオ信号を出力することはないが、演出画像外部表示装置６６ａ，６６ｂから演出画像送信要求コマンドを受信すると、当該コマンドを送信した演出画像外部表示装置６６ａ，６６ｂに向けて、パチンコ遊技機１から受信するビデオ信号を一定時間送信する。
【００４６】
演出画像外部表示装置６６ａ，６６ｂの表示制御装置７３ａ，７３ｂは、圧縮されたビデオ信号を復号化する復号化装置を備え、ＬＡＮ６１を介して台管理装置６８からビデオ信号を受信すると、該ビデオ信号を復号化してモニタ７４に出力し、当該ビデオ信号に係る画像をモニタ７４に表示させる。すなわち、かかる状態では、パチンコ遊技機１の画像表示器１４に出力されるのと同内容のビデオ信号が台管理装置６８などを経由して演出画像外部表示装置６６ａ，６６ｂに送信され、これにより、パチンコ遊技機１の画像表示器１４に表示される演出画像が、演出画像外部表示装置６６ａ，６６ｂのモニタ７４で略同時に表示されることとなる。
【００４７】
ここで、遊技場設備６０の演出画像外部表示装置には、遊技場の休憩室に配設される第一の演出画像外部表示装置６６ａと、遊技島６２ごとに配設される第二の演出画像外部表示装置６６ｂとがある。
【００４８】
第一の演出画像外部表示装置６６ａは、休憩室に設置され、休憩している人や、同伴者の遊技終了を待っている人が、任意の遊技機の画像表示器１４に表示されている画像を、休憩室のモニタ７４で見ることができるよう構成されている。具体的には、この演出画像外部表示装置６６ａの表示制御装置７３ａは、機台番号や設置場所などによって遊技場内のパチンコ遊技機１を指定可能とする操作手段と、各パチンコ遊技機１を管理する台管理装置６８のネットワークアドレスの情報とを具備している。そして、休憩室の人間が操作手段によって遊技場内のパチンコ遊技機１を指定すると、表示制御装置７３ａは、当該遊技機を管理する台管理装置６８へ演出画像送信要求コマンドを送信し、当該遊技機から出力されたビデオ信号を台管理装置６８から受信することで、当該遊技機の画像表示器１４に表示される演出画像を略リアルタイムでモニタ７４に表示する。
【００４９】
かかる第一の演出画像外部表示装置６６ａによれば、休憩中の遊技者は、休憩しながら他の遊技者の遊技を観戦することができ、これにより休憩中の遊技者の遊技続行意欲を刺激して長続きさせることができる。また、複数人で来場して先に遊技を終了し、同伴者の遊技終了を待っている人は、同伴者の遊技を観戦しながら待つことができ、待ち時間を楽しく過ごすことができる。なお、こうした演出画像外部表示装置６６ａは、休憩室に設置する構成に限らず、例えば、各カードユニット６５の脇に配設して、遊技者が遊技をしながら、他の遊技者の遊技を観戦できるようにしてもよい。
【００５０】
第二の演出画像外部表示装置６６ｂは、遊技島６２ごとに配設され、そのモニタ７４は遊技島６２の端に設置される。そして、第二の演出画像外部表示装置６６ｂは、当該遊技島６２に設置されたパチンコ遊技機１の大当り遊技中の演出画像を表示するよう構成されている。詳述すると、遊技場設備６０の島管理装置６９は、台管理装置６８から大当り発生のイベント発生情報を受信すると、ホールサーバー７１だけでなく、同じ遊技島６２に接続された表示制御装置７３ｂにも当該イベント発生情報を送信するよう構成されている。そして、表示制御装置７３ｂは、大当り発生のイベント発生情報を島管理装置６９から受信すると、これを契機として、大当りが発生した遊技機を管理する台管理装置６８へ演出画像送信要求コマンドを送信し、当該遊技機から出力されたビデオ信号を台管理装置６８から受信することで、当該遊技機の画像表示器１４に表示される大当り遊技中の演出画像を略リアルタイムでモニタ７４に表示する。
【００５１】
かかる第二の演出画像外部表示装置６６ｂによれば、遊技島６２の傍を通る遊技者に大当り遊技中の演出画像をリアルタイムで見せることができ、これにより、当該遊技島６２に設置される遊技機の魅力をアピールでき、遊技者の遊技意欲を強く刺激することが可能となる。なお、こうした演出画像外部表示装置６６ｂは、遊技島６２に設置する構成に限らず、例えば、店外から見える位置にモニタ７４を設置すれば、店外を通る人の遊技意欲を刺激することができ、好適な客引き手段として用いることができる。
【００５２】
以上のように、本実施例のパチンコ遊技機１及び遊技場設備６０によれば、遊技場内のパチンコ遊技機１の画像表示器１４に表示される画像を、遊技場内に設置された演出画像外部表示装置６６ａ，６６ｂで略リアルタイムに表示可能となる。特に、本実施例の遊技場設備では、ＬＡＮ６１（パケット通信網）を用いてビデオ信号を送信することで、特定の遊技機が出力するビデオ信号を、所要の演出画像外部表示装置６６ａ，６６ｂに適切に伝達できる。また、各台管理装置６８は、演出画像外部表示装置６６ａ，６６ｂから演出画像送信要求コマンドを受信した時だけＬＡＮ６１にビデオ信号を出力するよう構成されているため、ＬＡＮ６１にデータ量を最小限に抑えることができるという利点がある。
【００５３】
上記実施例にあって、本発明に係る画像表示制御手段は、画像音声制御基板３２によって主に構成される。また、本発明に係る演出画像外部出力手段は、画像分配中継基板３５と外部端子基板３９とによって主に構成される。また、本発明に係る分配手段は、分岐回路４７によって主に構成される。また、本発明に係る変換手段は、変換回路４８によって主に構成される。また、本発明に係るビデオ信号中継器は、台管理装置６８によって主に構成される。
【００５４】
なお、本発明は、上記実施例の形態に限らず本発明の要旨を逸脱しない範囲内において種々変更を加えることができる。例えば、上記実施例では、パチンコ遊技機１が出力するビデオ信号を、台管理装置６８がパケット化してＬＡＮ６１に送信するようにしているが、かかる構成に限らず、ネットワーク接続用の機器をパチンコ遊技機に配設して、パチンコ遊技機からＬＡＮに直接ビデオ信号を出力するようにしてもよい。また、本発明に係るパチンコ遊技機は、演出画像に係るビデオ信号だけでなく、演出目的以外の画像に係るビデオ信号を出力してもかまわない。また、演出画像に合わせて流す音声に係るオーディオ信号をビデオ信号と同期して機外に出力するようにしてもよい。
【符号の説明】
【００５５】
１  パチンコ遊技機
１０  遊技盤
１２  遊技領域
１３  センターケース
１４  画像表示器
１５  表示画面
１６  演出用ＬＥＤ
１７ａ〜１７ｄ  入賞装置
１８  演出用役物
１９  特別図柄表示装置
２０  遊技釘
２１  ゲート装置
２２  基板ケース
２３，２３ａ  端子
３０  主制御基板
３１  演出制御基板
３２  画像音声制御基板
３９  外部端子基板
４７  分岐回路
４８  変換回路
６０  遊技場設備
６１  ＬＡＮ
６２  遊技島
６４  データ表示ユニット
６５  カードユニット
６６ａ，６６ｂ  演出画像外部表示装置
６７  遊技場管理システム
６８  台管理装置
６９  島管理装置
７０  中央管理装置
７１  ホールサーバー
７２  ホールコンピュータ
７３ａ，７３ｂ  表示制御装置
７４  モニタ
【図１】
2012143501.tif 000003
【図２】
2012143501.tif 000004
【図３】
2012143501.tif 000005
【図４】
2012143501.tif 000006
【図５】
2012143501.tif 000007
【図６】
2012143501.tif 000008